(57)【要約】【課題】植付／深層施肥レバーや施肥レバーの入れ忘れ等を防止する。【解決手段】乗用田植機（６条）１０の植付部３２は、３組のプランタケース４２と、植付杆３６に対応して配置された側条施肥ノズル４６ａとを備え、座席シート２６の後方には、各プランタケース４２に対応して植付／深層施肥レバー５６が配置されている。植付／深層施肥レバー５６の操作に連動して、条止めクラッチ４５が入切操作され、かつ苗縦送り装置６２が駆動・停止される。また、植付／深層施肥レバー５６と並列に、側条施肥ノズル４６ａへの肥料の供給・停止を行う施肥レバー５７，５８が、苗の植付条に対応して配置されている。そして、植付／深層施肥レバー５６と施肥レバー５７，５８とを１組として、各プランタケース４２に対応して並列配置したので、配置関係が明確になり、各レバー５６〜５８の入れ忘れや切り忘れが防止される。【選択図】　　　図２
2004089121.tif 000002
【特許請求の範囲】
【請求項１】
前輪及び後輪にて支持された走行機体の後部に、苗を載置する苗載せ台と、２条又は１条の移植用爪及び前記移植用爪に動力を伝達する動力伝達装置を有する複数組の移植装置と、前記移植用爪に対応して配置され、施肥ポンプから圧送された肥料を圃場に施肥する施肥ノズルと、を備えた移植部を、昇降リンク機構を介して昇降自在に支持した移植機において、
前記移植装置に対応して複数配置されると共に、前記動力伝達装置に介在する移植クラッチの入切と、前記苗載せ台に載置された苗を前記移植装置に向けて縦送りする苗縦送り装置の駆動・停止と、を連動可能に操作する移植操作具と、
苗植付条に対応して複数配置されると共に、前記施肥ノズルへの肥料の供給を開閉するバルブを操作する施肥操作具と、を備え、
前記移植装置に対応する前記移植操作具と、前記移植装置の前記移植用爪に対応する前記施肥操作具とを１組として、前記複数組の移植装置に夫々対応して並列配置した、
ことを特徴とする移植機。
【請求項２】
前記移植操作具と前記施肥操作具とを、座席後方の機体左右端側に配設された左右のリアステップ間に配置した、
ことを特徴とする請求項１記載の移植機。
【請求項３】
前記各移植装置に対応して配置され、圃場の深部に施肥する深層施肥ノズルを備え、該深層施肥ノズルへの肥料の供給を開閉する深層施肥操作具を、前記移植操作具に連動してなる、
ことを特徴とする請求項１又は２に記載の移植機。
【発明の詳細な説明】
【０００１】
【発明の属する技術分野】
本発明は、移植装置と施肥ノズル等を備えた移植部を走行機体の後部に昇降自在に支持した移植機に関し、詳しくは、移植装置に対応する移植操作具と移植用爪に対応する施肥操作具とを１組として、夫々の移植装置に対応して並列配置した移植機に関する。
【０００２】
【従来の技術】
移植機としての乗用田植機等には、例えば特許文献１に記載されているように、昇降リンク機構を介して苗を植付ける植付部が昇降支持される走行機体に、植付部に設けられた施肥ノズルに向けて流動性の肥料を吐出する施肥ポンプを設け、該施肥ポンプから施肥ノズルへの肥料の供給を開閉する切換バルブを座席シートの後方に設けたものが公知である。
【０００３】
また、例えば特許文献２に記載されているように、畦際等において、複数設けられた植付爪のうち一部の植付爪の駆動を停止させて端数条植えを行う場合に、該一部の植付爪に動力を入切する植付クラッチの切操作に連動して、前記一部の植付爪に対応する苗載せ台の苗を縦送りする縦送り装置の駆動を切操作する技術が公知である。また、植付クラッチの操作は、走行機体側の座席シートの側方に設けた植付操作レバーにより行うようになっている。
【０００４】
【特許文献１】
特開平９−１４０２３１号公報
【特許文献２】
特開昭６１−１７３７０４号公報
【０００５】
【発明が解決しようとする課題】
しかし、前述した特許文献１や特許文献２では、肥料の供給を開閉する切換バルブや、植付爪に動力を入切する植付クラッチを操作する植付操作レバーは、座席シートの後方や座席シートの側方に別々に設けられていたため、切換バルブと植付操作レバーのうち、一方の入れ忘れや切り忘れをするおそれがあった。また、切換バルブと植付操作レバーとを植付条列と無関係に配置すると、特定の植付条のみの施肥又は植付け作業を停止したい場合、どの切換バルブ又はどの植付操作レバーを操作すれば良いか、オペレータが瞬時に判断することは困難であった。
【０００６】
本発明は、斯かる課題を解決するためになされたもので、その目的とするところは、移植操作具又は施肥操作具の一方の入れ忘れや切り忘れを防止すると共に、各操作具のうち一方のみを選択的に入切操作することのできる移植機を提供することにある。
【０００７】
【課題を解決するための手段】
前記目的を達成するため、請求項１記載の発明は、前輪（１２）及び後輪（１４）にて支持された走行機体（１６）の後部に、苗を載置する苗載せ台（３８）と、２条又は１条の移植用爪（３６）及び前記移植用爪（３６）に動力を伝達する動力伝達装置（４０）を有する複数組の移植装置（４２）と、前記移植用爪（３６）に対応して配置され、施肥ポンプ（４４ａ）から圧送された肥料を圃場に施肥する施肥ノズル（４６ａ）と、を備えた移植部（３２）を、昇降リンク機構（３３）を介して昇降自在に支持した移植機（１０）において、
前記移植装置（４２）に対応して複数配置されると共に、前記動力伝達装置（４０）に介在する移植クラッチ（４５）の入切と、前記苗載せ台（３８）に載置された苗を前記移植装置（４２）に向けて縦送りする苗縦送り装置（６２）の駆動・停止と、を連動可能に操作する移植操作具（５６）と、
苗植付条に対応して複数配置されると共に、前記施肥ノズル（４６ａ）への肥料の供給を開閉するバルブ（６７）を操作する施肥操作具（５７，５８）と、を備え、
前記移植装置（４２）に対応する前記移植操作具（５６）と、前記移植装置（４２）の前記移植用爪（３６）に対応する前記施肥操作具（５７，５８）とを１組として、前記複数組の移植装置（４２）に夫々対応して並列配置したことを特徴とする。
【０００８】
請求項２記載の発明は、請求項１記載の移植機において、前記移植操作具（５６）と前記施肥操作具（５７，５８）とを、座席後方の機体左右端側に配設された左右のリアステップ（３１，３１）間に配置したことを特徴とする。
【０００９】
請求項３記載の発明は、請求項１又は２に記載の移植機において、前記各移植装置（４２）に対応して配置され、圃場の深部に施肥する深層施肥ノズル（４６ｂ）を備え、該深層施肥ノズル（４６ｂ）への肥料の供給を開閉する深層施肥操作具（５９）を、前記移植操作具（５６）に連動してなることを特徴とする。
【００１０】
［作用］
移植部（３２）は、複数組の移植装置（４２）と、移植用爪（３６）に対応して配置された施肥ノズル（４６ａ）とを備え、座席（２６）後方の左右のリアステップ（３１，３１）間には、複数個の移植装置（４２）に夫々対応して移植操作具（５６）が配置されていて、この移植操作具（５６）を操作すると、移植用爪（３６）に動力を伝達する条止めクラッチ（４５）が入切操作されると共に、これと連動して苗縦送り装置（６２）の駆動及び停止が行われる。一方、苗植付条に対応して施肥操作具（５７，５８）が配置されていて、この施肥操作具（５７，５８）を操作すると、バルブ（６７）が開閉されて施肥ノズル（４６ａ）への肥料の供給と停止が行われる。
【００１１】
そして、本発明によれば、移植操作具（５６）と施肥操作具（５７，５８）とを１組として、これを各移植装置（４２）に対応して並列配置したので、各施肥操作具（５７，５８）と移植用爪（３６）、及び施肥ノズル（４６ａ）との配置関係が明確になり、例えば移植操作具（５６）や施肥操作具（５７，５８）のいずれか一のレバーの入れ忘れや切り忘れが防止される。
【００１２】
なお、上述したカッコ内の符号は図面を参照するためのものであって、本発明を何ら限定するものではない。
【００１３】
【発明の実施の形態】
以下、図面に基き本発明の実施の形態を説明する。
【００１４】
図１及び図２は、本発明に係る農作業機としての６条タイプの乗用田植機の全体側面図及び平面図であり、図３は、５条タイプの乗用田植機の平面図である。乗用田植機１０は、前輪１２及び後輪１４に支持された走行機体１６を有し、該走行機体１６には、前部のボンネット１８内にエンジン２０が搭載されている。また、走行機体１６上には、ステアリングハンドル２４と座席シート２６、及び各種操作レバー等を有する運転席２８が配設されていて、この運転席２８のステップ面には、クラッチペダル（図示せず）とブレーキペダル３０が設けられている。
【００１５】
前記エンジン２０の後部には、トランスミッション２１が取付けられ、該トランスミッション２１で変速された動力は前輪１２を軸支するフロントアクスルケース２２に伝達され、かつ走行ＰＴＯ軸（図示せず）を介して後輪１４を軸支するリアアクスルケース２３に伝達されている。また、トランスミッション２１から、植付ＰＴＯ軸（図示せず）を介して植付部３２に作業用の動力が伝達されている。
【００１６】
走行機体１６の後方には、昇降リンク機構３３の後端部のリンクホルダ３４、及び該リンクホルダ３４にローリング自在に支持された植付部フレーム３５を介して植付部３２が昇降自在に支持されている。該植付部３２は、マット苗を載置する苗載せ台３８と、２条用の植付杆（移植用爪）３６及び該植付杆３６に動力を伝達する動力伝達装置４０（図２，図４参照）、又は１条用の植付杆（移植用爪）３６及び該植付杆３６に動力を伝達する動力伝達装置４０（図３，図４参照）を有する複数組のプランタケース（移植装置）４２と、側条施肥ノズル４６ａ及び深層施肥ノズル４６ｂとを備えている。側条施肥ノズル４６ａは、例えば植付条の側部に施肥するものであり、深層施肥ノズル４６ｂは、例えば隣接する植付条の深部に施肥するものである。なお、プランタケース４２の下方には、圃場面を滑走するフロー卜３７が設けられている。
【００１７】
一方、図２に示すように、機体前部のボンネット１８の左右両側方には、補助苗載せ台３９，３９が設けられており、また、図２及び図３に示すように、座席シート２６の後方の機体左右端側には、乗車したまま補助苗載せ台３９の苗を苗載せ台３８に補給できるようにリアステップ３１，３１が設けられている。なお、図２の符号６０はトレースマーカである。
【００１８】
図４に示すように、プランタケース４２には、ドライブケース４１からシャフト４３と動力伝達装置４０を介して動力が入力されると共に、該動力伝達装置４０には条止めクラッチ（移植クラッチ）４５が介在されている。この条止めクラッチ４５は、畦際での端植え調整に使用される。
【００１９】
また、図５に示すように、苗載せ台３８の下面側には、該苗載せ台３８に載置された苗を、ゴムベルト６３によりプランタケース４２に向けて縦送りする苗縦送り装置６２が配設されている。そして、植付／深層施肥レバー（移植操作具）５６を操作することにより、ワイヤ６６を介して前述した条止めクラッチ４５の入切と苗縦送り装置６２の駆動・停止とが連動操作される。すなわち、前記ワイヤ６６は途中で分岐され、一方のワイヤ６６ａが条止めクラッチ４５のクラッチアーム４５ａに連結され、また、他方のワイヤ６６ｂが苗縦送り装置６２の縦送りレバーに連結されていて、該ワイヤ６６ｂを介してゴムベルト６３の送りが駆動・停止される。
【００２０】
そして、本実施形態では、図６に示すように、５条タイプの乗用田植機の苗縦送り装置６２において、ゴムベルト６３の送りに関与するワンウェイクラッチ７１を、図の右から１条目と２条目の間に配置している。
【００２１】
すなわち、図５及び図６において、ワンウェイクラッチ７１をベルト送りローラ軸７２に取付け、該ベルト送りローラ軸７２にローラ７３を取付ける。また、ベース７４を苗載せ台３８に固定し、縦送りローラ軸７５とベルト送りローラ軸７２とを連結プレートで連結する。こうして、縦送りローラ６５は２条目と３条目の間に配置することができ、１条目と２条目の間で縦送りローラ軸７５とベルト送りローラ軸７２を連結することができる。これに対し、例えばワンウェイクラッチ７１を、２条目と３条目の間に配置すると、縦送りローラ６５が邪魔になって、縦送りローラ軸７５とベルト送りローラ軸７２とを連結する部材の大きさが限定され、ワンウェイクラッチ７１の作動範囲が限定されることになる。
【００２２】
また、図６に示すように、苗縦送り装置６２に連結されているワイヤ６６ｂを、１条目と２条目の間に配置することで、苗載せ台３８を左端に寄せると、ワイヤの取付けや調整を行うのに十分なスペースをとることができる。
【００２３】
次いで、前述した図２に示すように、側条施肥ノズル４６ａは、各植付杆３６に対応して配置されていて、側条施肥ポンプ４４ａから圧送された肥料を圃場の浅部に施肥し、また、深層施肥ノズル４６ｂは、各プランタケース４２に対応して配置されていて、深層施肥ポンプ４４ｂから圧送された肥料を圃場の深部に施肥する。
【００２４】
側条施肥ポンプ４４ａ及び深層施肥ポンプ４４ｂは、側条変速装置５０ａ及び深層変速装置５０ｂにより、トランスミッション２１から施肥用トランスミッション（図示せず）を介して入力軸５１により伝達された動力が、複数の変速段に変速されて駆動される。そして、側条施肥ポンプ４４ａ及び深層施肥ポンプ４４ｂから送り出された肥料は、座席シート２６の後方に配置されたインジケータ５４に向けて送られる。このインジケータ５４は、肥料が確実に流れているか否かを確認するためのもので、植付条ごとに設けられている。
【００２５】
図７及び図８に示すように、インジケータ５４の出力側には、右施肥レバー（施肥操作具）５７及び左施肥レバー（施肥操作具）５８が配置されていて、インジケータ５４を通過した肥料はこの左右の施肥レバー５７，５８を介して、パイプ５２ａにより植付部３２側に送られて側条施肥ノズル４６ａから吐出される。また、深層施肥ポンプ４４ｂから送り出された肥料は、植付／深層施肥レバー（移植操作具）５６を介して、パイプ５２ｂにより植付部３２側に送られて深層施肥ノズル４６ｂから吐出される。なお、５２ｃは戻しパイプである。
【００２６】
前記の右施肥レバー５７と左施肥レバー５８、及び植付／深層施肥レバー５６の基部には、ロータリバルブ６７が設けられていて、各レバーの起伏操作により該ロータリバルブ６７が開閉操作される。
【００２７】
本実施の形態では、５条タイプ（図３）と６条タイプ（図２）の乗用田植機において、プランタケース４２に対応する植付／深層施肥レバー５６と、プランタケース４２の植付杆３６に対応する左右の施肥レバー５７，５８とを１組として、これらを複数組のプランタケース４２，４２，・・・に夫々対応して並列配置したものである。
【００２８】
これにより、１つのプランタケース４２ごとに植付／深層施肥レバー５６と左右の施肥レバー５７，５８とが配置されるので、各操作レバー５６〜５８と植付杆３６、及び施肥ノズル４６ａ，４６ｂとの配置関係が明確になり、植付／深層施肥レバー５６又は左右の施肥レバー５７，５８のうちいずれか一つの入れ忘れや切り忘れを防止することができる。また、植付／深層施肥レバー５６又は左右の施肥レバー５７，５８のうち、いずれか一つのみを選択的に入切操作することもできる。
【００２９】
また、本実施の形態では、植付／深層施肥レバー５６と左右の施肥レバー５７，５８とを、座席後方の機体左右端側に配設された左右のリアステップ３１，３１間に配置したものである。
【００３０】
すなわち、図２及び図３に示すように、植付／深層施肥レバー５６と左右の施肥レバー５７，５８とが左右のリアステップ３１，３１間に配置されているので、オペレータは各レバーを運転席２８から振返って容易に操作することができる。また、苗を補助苗載せ台３９から苗載せ台３８に補給する場合等には、オペレータは、左右のリアステップ３１，３１を利用して車体上を安全に移動することができる。
【００３１】
更に、本実施の形態では、深層施肥ノズル４６ｂへの肥料の供給を開閉する植付／深層施肥レバー５６を、深層施肥レバー５９と連動可能に配置している。
【００３２】
すなわち、図９に示すように、植付／深層施肥レバー５６は回動軸６８を中心として回動操作可能で、深層施肥レバー５９はロータリバルブ６７の回動軸心を中心として回動可能であって、該深層施肥レバー５９には、長孔６９ａが形成された連結プレート６９が一体的に固定されている。そして、この長孔６９ａに、植付／深層施肥レバー５６に立設された連結ピン７０が嵌入されている。
【００３３】
これにより、植付／深層施肥レバー５６を操作すると、連結ピン７０が長孔６９ａ内を移動しながら、該植付／深層施肥レバー５６と連動して深層施肥レバー５９が操作される。よって、植付／深層施肥レバー５６を植付側に操作すると、植付杆３６が作動して圃場に苗が植付けられると共に、深層施肥レバー５９が施肥作業位置に操作されて、深層施肥ノズル４６ｂから肥料が吐出される。
【００３４】
同様に、植付／深層施肥レバー５６を植付停止側に操作すると、植付杆３６の作動が停止して苗植えが停止すると共に、深層施肥レバー５９が施肥停止位置に操作されて、深層施肥ノズル４６ｂからの肥料の吐出が確実に停止される。また、長孔６９ａから連結ピン７０を抜けば、植付／深層施肥レバー５６と深層施肥レバー５９とは独立して操作できるようになり、苗植付け作業と深層施肥作業とを独立して操作することができる。
【００３５】
次いで、本実施の形態の作用について説明する。
【００３６】
例えば、６条タイプの乗用田植機１０では、走行機体１６の後部に、昇降リンク機構３３を介して植付部３２が昇降自在に支持されていて、この植付部３２は、３組のプランタケース４２と、各プランタケース４２の左右側に取付けられた植付杆３６に対応して配置された側条施肥ノズル４６ａとを備えている。
【００３７】
また、座席シート２６の後方の左右のリアステップ３１，３１間には、各プランタケース４２に対応して植付／深層施肥レバー５６が夫々配置されていて、この植付／深層施肥レバー５６を操作すると、植付条ごとに配置された植付杆３６に動力を伝達する条止めクラッチ４５が入切操作されると共に、これと連動して、苗載せ台３８に載置された苗をプランタケース４２に向けて縦送りする苗縦送り装置６２が駆動・停止する。
【００３８】
一方、各プランタケース４２には、圃場の深部に施肥する深層施肥ノズル４６ｂが設けられていて、この深層施肥ノズル４６ｂには植付／深層施肥レバー５６と連動する深層施肥レバー５９の操作により肥料が供給される。このため、植付／深層施肥レバー５６を苗植付位置に操作すると、植付杆３６が作動して苗が植付けられ、かつ苗縦送り装置６２が駆動すると共に、深層施肥ノズル４６ｂから圃場の深部に肥料が供給される。
【００３９】
更に、植付／深層施肥レバー５６の近傍には、２つの施肥レバー５７，５８が該植付／深層施肥レバー５６と機体左右方向に並列配置されていて、この施肥レバー５７，５８は、苗の植付条に対応して隣接配置されている。そして、該施肥レバー５７，５８を操作すると、インジケータ５４の出力側に配置されたロータリバルブ６７が開閉されて、側条施肥ノズル４６ａへの肥料の供給と停止が行われる。
【００４０】
以上のように、本実施の形態によれば、１つの植付／深層施肥レバー５６と２つの施肥レバー５７，５８とを１組として、これを各プランタケース４２に対応して並列配置したので、各操作レバー５６〜５８と植付杆３６、及び施肥ノズル４６ａ，４６ｂとの配置関係が明確になり、植付／深層施肥レバー５６や施肥レバー５７，５８のいずれか一つのレバーを入れ忘れたり、又は切り忘れたりするのを防止することができる。更に、各操作レバー５６〜５８と、植付杆３６及び施肥ノズル４６ａ，４６ｂとの配置関係が明確になったので、植付／深層施肥レバー５６と左右の施肥レバー５７，５８のうち、いずれか一つのレバーのみを選択的に誤りなく入切操作することができる。
【００４１】
次に、図１０（ａ）（ｂ）及び図１１は、植付部３２を支点軸８１によりローリング自在に支持した構造を示しており、植付部フレーム３５の上面にブラケット８２を取付け、このブラケット８２をボルト８３で固定している。また、前後方向に向けて支点軸８１を通し、プレート８４にて植付部フレーム３５とブラケット８２とを連結している。このように、植付部フレーム３５の上面にブラケット８２をボルト８３で固定したことで、該植付部フレーム３５の上面とブラケット８２の底面とが密着し、植付部フレーム３５に加わる力が分散して、該植付部フレーム３５の破損が防止される。なお、機体左右方向に連接された植付部フレーム３５には、該植付部フレーム３５に一体的に固定された植付機枠６１が立設されている。
【００４２】
図１２及び図１３は、掻取レバー８５に保持部材８６を連結することで、苗の掻取量（エプロン位置）を一定に保持する構造を示している。
【００４３】
すなわち、ブラケット８７をプランタケース４２に取付け、掻取レバー８５はアーム８５ａをブラケット８７の穴を通してエプロン８８の溝に嵌め込む。そして、保持部材８６で掻取レバー８５とブラケット８７を連結させる。これにより、保持部材８６が掻取レバー８５の横通しの逃げを防止し、苗の掻取量（エプロン位置）を各条とも一定にすることができる。
【００４４】
図１４及び図１５は、延長苗載せ台８９のガタツキと苗めくれを防止した苗載せ台３８の構造を示している。
【００４５】
すなわち、延長苗載せ台８９を苗載せ台３８に差込み、ボルト９０とナット９１で固定する。このとき、本実施の形態では、延長苗載せ台８９の差込み部の厚みよりも苗載せ台３８の差込み部の幅を小さくすることにより、延長苗載せ台８９のガタツキが防止される。このように、延長苗載せ台８９のガタツキをなくすと共に樹脂の弾性を利用して、該延長苗載せ台８９の部分での苗めくれを防止することができる。
【００４６】
図１６（ａ）（ｂ）は、樹脂で成形した苗載せ台３８の補強リブ３８ａの裏側に、成形手段により、線材等を固定するクランプ部材９３を取り付ける穴９２を形成する実施の形態を示している。
【００４７】
図１７は、金型における上型９４と下型９５の断面を示しており、同図に示すように、この実施の形態によれば、簡単な成形用型の形状で前述したクランプ部材９３を取り付ける穴９２を形成することができ、これにより型費を安くすることができると共に、小さく目立たない穴を形成することができる。
【００４８】
【発明の効果】
請求項１記載の発明によれば、移植操作具と施肥操作具とを１組として、複数組の移植装置に夫々対応して並列配置したので、移植操作具又は施肥操作具の一方の入れ忘れや切り忘れを防止することができる。また、移植操作具又は施肥操作具のうち、いずれか一方のみを選択的に入切操作することができる。
【００４９】
請求項２記載の発明によれば、移植操作具と施肥操作具とを、座席後方の機体左右端側に配設された左右のリアステップ間に配置したので、運転席から容易に操作することができると共に、苗補給時等には左右のリアステップを利用して車体上を安全に移動することができる。
【００５０】
請求項３記載の発明によれば、深層施肥ノズルへの肥料の供給を開閉する深層施肥操作具を、移植操作具に連動するようにしたので、移植操作具を切操作すると、これに連動して深層施肥操作具による施肥を確実に停止することができる。
【図面の簡単な説明】
【図１】本発明が適用された乗用田植機の側面図である。
【図２】同上（６条タイプ）の平面図である。
【図３】同上（５条タイプ）の平面図である。
【図４】プランタケースの平面図である。
【図５】乗用田植機の要部側面図である。
【図６】苗縦送り装置の平面図である。
【図７】インジケータと植付／深層施肥レバー、及び施肥レバーの配置関係を示す平面図である。
【図８】同上の側面図である。
【図９】植付／深層施肥レバーと深層施肥レバーの連結関係を示す側面図である。
【図１０】（ａ）は植付部の側面図、（ｂ）はそのＡ部拡大図である。
【図１１】植付部の正面図である。
【図１２】苗掻取部の要部側面図である。
【図１３】苗掻取部の要部平面図である。
【図１４】苗載せ台の断側面図である。
【図１５】苗載せ台の正面図である。
【図１６】（ａ）は、苗載せ台の部分断面図であり、（ｂ）は、苗載せ台の部分斜視図である。
【図１７】苗載せ台の成形用上型と下型の断面を示す図である。
【符号の説明】
１０　　　乗用田植機
１２　　　前輪
１４　　　後輪
１６　　　走行機体
２６　　　座席シート
３１　　　リアステップ
３２　　　植付部
３３　　　昇降リンク機構
３６　　　植付杆（移植用爪）
３８　　　苗載せ台
４０　　　動力伝達装置
４２　　　プランタケース（移植装置）
４４ａ　　側条施肥ポンプ
４４ｂ　　深層施肥ポンプ
４５　　　条止めクラッチ
４６ａ　　側条施肥ノズル
４６ｂ　　深層施肥ノズル
５６　　　植付／深層施肥レバー（移植操作具）
５７　　　右施肥レバー（施肥操作具）
５８　　　左施肥レバー（施肥操作具）
５９　　　深層施肥レバー
６２　　　苗縦送り装置
【図１】
2004089121.tif 000003
【図２】
2004089121.tif 000004
【図３】
2004089121.tif 000005
【図４】
2004089121.tif 000006
【図５】
2004089121.tif 000007
【図６】
2004089121.tif 000008
【図７】
2004089121.tif 000009
【図８】
2004089121.tif 000010
【図９】
2004089121.tif 000011
【図１０】
2004089121.tif 000012
【図１１】
2004089121.tif 000013
【図１２】
2004089121.tif 000014
【図１３】
2004089121.tif 000015
【図１４】
2004089121.tif 000016
【図１５】
2004089121.tif 000017
【図１６】
2004089121.tif 000018
【図１７】
2004089121.tif 000019